(57)【要約】【課題】装飾体に止め具としての機能を持たせつつ、装飾体を小さくし、かつ装飾体のデザイン性を高める。【解決手段】ネックレス１は、第１の装飾片１１および第２の装飾片２１を有する装飾体２と、一端側が第１の装飾片１１に接続され、他端側が第２の装飾片２１に接続されたチェーンとを備え、第１の装飾片１１と第２の装飾片２１とを互いに連結、分離させることにより利用者の首に対して掛け外しすることができる。第１の装飾片１１は、円柱状の石座１２と、台座に取り付けられた宝石１３と、チェーンの一端側を接続するチェーン接続部１４とを備えている。第２の装飾片２１は、台座を内側に挿入することができる筒状部材２２と、チェーンの他端側を接続するチェーン接続部２３とを備え、筒状部材２２の周壁部には、第１の装飾片１１のチェーン接続部１４の基部１４Ｂを留め外しするための留め穴および切り欠き２５が形成されている。【選択図】図３
2019088459.tif 000002
【特許請求の範囲】
【請求項１】
第１の装飾片および第２の装飾片を有する装飾体と、一端側が前記第１の装飾片に接続され、他端側が前記第２の装飾片に接続された紐状部材とを備え、前記第１の装飾片と前記第２の装飾片とを互いに連結、分離させることにより利用者の首に対して掛け外しすることができるネックレスであって、
前記第１の装飾片は、
円柱状に形成された台座と、
前記台座の正面側部分に取り付けられた装飾物と、
前記台座の背面側部分の左右方向一側の外周面から径方向外側へ突出し、前記紐状部材の一端側が接続された第１の紐状部材接続部とを備え、
前記第２の装飾片は、
筒状に形成され、内側に前記台座の背面側部分が挿抜可能に挿入される筒状部材と、
前記筒状部材の左右方向他側の外周面から径方向外側へ突出し、前記紐状部材の他端側が接続された第２の紐状部材接続部と、
前記筒状部材の左右方向一側の周壁部に形成され、前記筒状部材の周方向に伸長し、前記第１の紐状部材接続部の基部を通すことにより前記台座を前記筒状部材の内側から外れないようにする留め穴と、
前記筒状部材の周壁部において前記筒状部材の正面側または背面側の端面から前記留め穴の一部に至る部分に形成され、前記第１の紐状部材接続部の基部を前記留め穴内に対して挿抜するための切り欠きとを備えていることを特徴とするネックレス。
【請求項２】
前記筒状部材の内側に挿入された前記台座を前記筒状部材に係止することにより前記台座の前記筒状部材に対する移動を規制する係止機構を備え、
前記係止機構は、前記第１の紐状部材接続部の基部と前記切り欠きとが互いに対応しない位置に前記台座が止まるように前記台座を係止することを特徴とする請求項１に記載のネックレス。
【請求項３】
前記係止機構は、前記第１の紐状部材接続部の基部と前記切り欠きとが互いに対応する位置に前記台座が止まるように前記台座を係止することを特徴とする請求項２に記載のネックレス。
【請求項４】
前記係止機構は、前記台座の外周面から出没可能な凸状係止部と、前記筒状部材の内周面に形成された凹状係止部とを備えていることを特徴とする請求項２または３に記載のネックレス。
【請求項５】
前記装飾物は宝石であり、前記宝石は前記台座の正面中央に留められていることを特徴とする請求項１ないし４のいずれかに記載のネックレス。
【発明の詳細な説明】
【技術分野】
【０００１】
本発明はネックレスに関する。
【背景技術】
【０００２】
一般に、ネックレスは、宝石等の装飾物を備えた装飾体、装飾体に接続された紐状部材、および紐状部材の両端同士を連結させる止め具を備えている。紐状部材には、例えば、チェーン、ワイヤ、紐、糸等がある。止め具には、例えば、引き輪、カニカン、クラスプ等がある。利用者がネックレスを首に掛けた際には、装飾体は利用者の胸元に配置され、止め具は利用者の首の後ろ側に配置される。
【０００３】
このような一般のネックレスには次のような問題がある。すなわち、ネックレスを首に掛け、または首から外す際には、首の後ろ側の見えない位置で止め具を操作して紐状部材の両端同士を連結、または分離させる必要がある。そのため、ネックレスの掛け外しが難しいという問題がある。また、ネックレスを首に掛けている間、装飾があまり施されていない止め具がその自重により首の後ろ側から胸元の方へ移動してしまうことがある。そのため、ネックレスによる装飾効果が低下してしまうという問題がある。
【０００４】
下記の特許文献１および２には、装飾体に止め具としての機能（紐状部材の両端同士を連結させる機能）を持たせたネックレスがそれぞれ記載されている。特許文献１に記載されたネックレスは、装飾体が２つの装飾片に分割され、一方の装飾片には、押圧つまみを有する掛け金が設けられ、他方の装飾片には、導入部を有する止め金が設けられ、掛け金を止め金に係合することにより両装飾片が連結する構成を備えている。特許文献２に記載されたネックレスは、第１の部材および第２の部材からなる装飾用部材を有し、第１の部材が、一部が非連続となり得る環状部材であり、第２の部材が、側面に第１の部材を通し得る空洞を有しており、第１の部材の一部を第２の部材の空洞に通すことにより両部材が連結する構成を備えている。これらのネックレスによれば、上述した問題を解決することができると考えられる。
【先行技術文献】
【特許文献】
【０００５】
【特許文献１】実開昭５６−５８３２０号公報
【特許文献２】実用新案登録第３０４１１７４号公報
【発明の概要】
【発明が解決しようとする課題】
【０００６】
しかしながら、上記特許文献１または２に記載されたネックレスには、装飾体に止め具としての機能を持たせつつ、装飾体を小さくし、かつ装飾体のデザイン性を高めることが困難であるという新たな問題がある。
【０００７】
例えば、ネックレスの装飾体のデザインとして、径寸法がおよそ３〜４ｍｍ以下の小さい宝石等の装飾物を、この装飾物よりも僅かに大きい径寸法を有する台座の正面中央に留めるといったデザインを採用した場合、装飾体の全体的な大きさが非常に小さくなる。このような非常に小さな装飾体を２つ装飾片に分割し、一方の装飾片に特許文献１に記載されたような掛け金を設け、他方の装飾片に特許文献１に記載されたような止め金を設けると、装飾体のデザイン性が低下してしまう。具体的には、掛け金や止め金が台座から径方向外側にはみ出し、装飾体を正面から見た場合に、掛け金や止め金の一部が露出してしまい、その結果、装飾体のデザインが崩れてしまう。また、掛け金や止め金が台座からはみ出さないように、これらを小さくした場合には、押圧つまみを押して掛け金を止め金から外す操作が困難になってしまう。
【０００８】
また、ネックレスの装飾体のデザインとして上述したようなデザインを採用した場合、そのようなデザインを維持しつつ、特許文献２に記載されているように装飾体を第１の部材と第２の部材とに分割し、第１の部材をその一部が非連続となり得る環状の形状とし、第２の部材をその側面に第１の部材を通し得る空洞を有する形状とすることは困難である。
【０００９】
本発明は例えば上述したような問題に鑑みなされたものであり、本発明の課題は、装飾体に止め具としての機能を持たせつつ、装飾体を小さくすることができ、かつ装飾体のデザイン性を高めることができるネックレスを提供することにある。
【課題を解決するための手段】
【００１０】
上記課題を解決するために、本発明のネックレスは、第１の装飾片および第２の装飾片を有する装飾体と、一端側が第１の装飾片に接続され、他端側が第２の装飾片に接続された紐状部材とを備え、第１の装飾片と第２の装飾片とを互いに連結、分離させることにより利用者の首に対して掛け外しすることができるネックレスであって、第１の装飾片は、円柱状に形成された台座と、台座の正面側部分に取り付けられた装飾物と、台座の背面側部分の左右方向一側の外周面から径方向外側へ突出し、紐状部材の一端側が接続された第１の紐状部材接続部とを備え、第２の装飾片は、筒状に形成され、内側に台座の背面側部分が挿抜可能に挿入される筒状部材と、筒状部材の左右方向他側の外周面から径方向外側へ突出し、紐状部材の他端側が接続された第２の紐状部材接続部と、筒状部材の左右方向一側の周壁部に形成され、筒状部材の周方向に伸長し、第１の紐状部材接続部の基部を通すことにより台座を筒状部材の内側から外れないようにする留め穴と、筒状部材の周壁部において筒状部材の正面側または背面側の端面から留め穴の一部に至る部分に形成され、第１の紐状部材接続部の基部を留め穴内に対して挿抜するための切り欠きとを備えていることを特徴とする。
【００１１】
また、上記本発明のネックレスにおいて、筒状部材の内側に挿入された台座を筒状部材に係止することにより台座の筒状部材に対する移動を規制する係止機構を備え、係止機構は、第１の紐状部材接続部の基部と切り欠きとが互いに対応しない位置に台座が止まるように台座を係止することが好ましい。
【００１２】
また、上記本発明のネックレスにおいて、係止機構は、第１の紐状部材接続部の基部と切り欠きとが互いに対応する位置に台座が止まるように台座を係止することが好ましい。
【００１３】
また、上記本発明のネックレスにおいて、係止機構は、台座の外周面から出没可能な凸状係止部と、筒状部材の内周面に形成された凹状係止部とを備えていることが好ましい。
【００１４】
また、上記本発明のネックレスにおいて、装飾物は宝石であり、宝石は台座の正面中央に留められていることが好ましい。
【発明の効果】
【００１５】
本発明によれば、装飾体に止め具としての機能を持たせつつ、装飾体を小さくすることができ、かつ装飾体のデザイン性を高めることができる。
【図面の簡単な説明】
【００１６】
【図１】本発明の実施形態のネックレスを示す全体図である。
【図２】本発明の実施形態のネックレスの装飾体が２つの装飾片に分離した状態を示す全体図である。
【図３】本発明の実施形態のネックレスの装飾体を示す正面図である。
【図４】本発明の実施形態のネックレスの装飾体を示す側面図である。
【図５】本発明の実施形態のネックレスの装飾体を図４中の矢示Ｖ−Ｖ方向から見た断面図である。
【図６】本発明の実施形態のネックレスの第１の装飾片を示す正面図である。
【図７】本発明の実施形態のネックレスの第１の装飾片を示す側面図である。
【図８】本発明の実施形態のネックレスの第１の装飾片を図７中の矢示ＶＩＩＩ−ＶＩＩＩ方向から見た断面図である。
【図９】本発明の実施形態のネックレスの第１の装飾片を図８中の矢示ＩＸ−ＩＸ方向から見た断面図である。
【図１０】本発明の実施形態のネックレスの第２の装飾片を示す正面図である。
【図１１】本発明の実施形態のネックレスの第２の装飾片を示す側面図である。
【図１２】本発明の実施形態のネックレスの第２の装飾片を図１１中の矢示ＸＩＩ−ＸＩＩ方向から見た示す断面図である。
【図１３】本発明の実施形態のネックレスの第２の装飾片を図１２中の矢示ＸＩＩＩ−ＸＩＩＩ方向から見た示す断面図である。
【図１４】本発明の実施形態のネックレスにおいて第１の装飾片と第２の装飾片とを連結させる方法を示す説明図である。
【図１５】本発明のネックレスの他の実施形態を示す説明図である。
【発明を実施するための形態】
【００１７】
（ネックレス）
図１および図２は本発明の実施形態のネックレス１を示している。具体的には、図１はネックレス１の全体を示し、図２はネックレス１の装飾体２が２つの装飾片１１、２１に分離した状態を示している。
【００１８】
図１に示すように、本発明の実施形態のネックレス１は装飾体２、および紐状部材としてのチェーン３を備えている。装飾体２は、図２に示すように、第１の装飾片１１および第２の装飾片２１を有しており、第１の装飾片１１と第２の装飾片２１とは互いに分離することができる。第１の装飾片１１と第２の装飾片２１とを互いに連結することにより装飾体２が形成される。
【００１９】
チェーン３は、金、銀または銅合金等の金属により形成され、その一端側が第１の装飾片１１に接続され、他端側が第２の装飾片２１に接続されている。第１の装飾片１１と第２の装飾片２１とを連結することにより、チェーン３の両端同士が装飾体２を介して連結される。第１の装飾片１１と第２の装飾片２１とを分離することにより、チェーン３の両端が互いに分離される。ネックレス１は、第１の装飾片１１と第２の装飾片２１とを互いに連結、分離させることにより利用者の首に対して掛け外しすることができる。
【００２０】
（装飾体）
図３、図４および図５はネックレス１の装飾体２を示している。具体的には、図３は装飾体２を正面（前側）から見た図であり、図４は装飾体２を図３中の右側から見た図であり、図５は装飾体２を図４中の矢示Ｖ−Ｖ方向から見た断面図である。
【００２１】
図３および図４に示すように、装飾体２の形状は全体的に見て円柱状である。装飾体２を正面から見た場合、第１の装飾片１１は装飾体２の中央に配置され、第２の装飾片２１は概ね第１の装飾片１１の外周側に配置されている。装飾体２の正面の中央には装飾物としての宝石１３が配置されており、宝石１３は第１の装飾片１１に留められている。また、図３において、装飾体２の外周部の右上側部分および左上側部分から装飾体２の径方向外側に向かって、第１の紐状部材接続部としてのチェーン接続部１４および第２の紐状部材接続部としてのチェーン接続部２３がそれぞれ突出している。右側のチェーン接続部１４は第１の装飾片１１に固定されており、左側のチェーン接続部２３は第２の装飾片２１に固定されている。また、装飾体２を正面から見た場合に、２つのチェーン接続部１４、２３は、装飾体２の石座１２の左右方向における中心を基準として左右対称に配置されている。
【００２２】
（第１の装飾片）
図６、図７、図８および図９は第１の装飾片１１を示している。具体的には、図６は第１の装飾片１１を正面（前側）から見た図であり、図７は第１の装飾片１１を図６中の右側から見た図であり、図８は第１の装飾片１１を図７中の矢示ＶＩＩＩ−ＶＩＩＩ方向から見た断面図であり、図９は第１の装飾片１１を図８中の矢示ＩＸ−ＩＸ方向から見た断面図である。
【００２３】
図６および図７に示すように、第１の装飾片１１は、台座としての石座１２、宝石１３およびチェーン接続部１４を備えている。石座１２およびチェーン接続部１４は、金、銀または銅合金等により形成されている。
【００２４】
石座１２は円柱状に形成されている。石座１２の正面側の端面の中央部、すなわち前端面の中央部には、図９に示すように、宝石１３を挿入するための凹状の宝石挿入部１５が形成されている。また、石座１２の前端面の外周部には、図６に示すように、宝石を石座１２に留めるための複数の爪１６が設けられている。宝石１３は宝石挿入部１５に挿入され、複数の爪１６により石座１２に留められている。
【００２５】
また、図７に示すように、石座１２の外周面の前端側には鍔部１７が形成されている。鍔部１７は、石座１２の外周面からその全周に亘って径方向外側へ張り出している。また、石座１２の背面側の端面、すなわち後端面は、その中央部が盛り上がるように湾曲している。図７に示すように、石座１２の後端側部分（背面側部分）の直径ｄ１は例えばおよそ３〜４ｍｍである。また、鍔部１７が形成されている石座１２の前端側部分（正面側部分）の直径ｄ２は石座１２の後端側部分の直径ｄ１よりも例えばおよそ０．５〜２ｍｍ大きい。
【００２６】
また、図６において石座１２の右上側部分にはチェーン接続部１４が設けられている。チェーン接続部１４は、石座１２の後端側の外周面の右上側部分から石座１２の径方向外側へ突出している。図７に示すように、チェーン接続部１４は、環状の環１４Ａおよび柱状の基部１４Ｂを備え、環１４Ａは基部１４Ｂを介して石座１２に固定されている。石座１２の径方向における基部１４Ｂの長さ（別言すれば、石座１２の外周面から環１４Ａまでの距離）は、第２の装飾片２１における筒状部材２２の周壁部の厚さｄ３（図１０参照）よりも僅かに大きい値に設定されている。
【００２７】
（第２の装飾片）
図１０、図１１、図１２および図１３は第２の装飾片２１を示している。具体的には、図１０は第２の装飾片２１を正面（前側）から見た図であり、図１１は第２の装飾片２１を図１０中の右側から見た図であり、図１２は第２の装飾片２１を図１１中の矢示ＸＩＩ−ＸＩＩ方向から見た断面図であり、図１３は第２の装飾片２１を図１２中の矢示ＸＩＩＩ−ＸＩＩＩ方向から見た断面図である。
【００２８】
図１０および図１１に示すように、第２の装飾片２１は、筒状部材２２およびチェーン接続部２３を備えている。筒状部材２２およびチェーン接続部２３は、金、銀または銅合金等により形成されている。
【００２９】
筒状部材２２は円筒状に形成されている。筒状部材２２の内側には横断面形状が円形の空間が形成されている。この円形の空間が形成された筒状部材２２の内側には、図３に示すように、第１の装飾片１１の石座１２の後端側部分が挿抜可能に挿入される。筒状部材２２の前端側（正面側）の環状の端面は平面であり、当該端面を含む面は筒状部材２２の軸線と直交している。また、筒状部材２２の後端側（背面側）の環状の端面は、図１１に示すように、当該端面の上部よりも下部の方が後方に出っ張るように湾曲または傾斜している。
【００３０】
また、図１０に示すように、筒状部材２２の周壁部の径方向の厚さｄ３は例えばおよそ０．５〜２ｍｍである。また、筒状部材２２の内径ｄ４は、石座１２の後端側部分の直径ｄ１（図７参照）と略等しい。厳密には、筒状部材２２の内径ｄ４は、石座１２の後端部分の直径ｄ１よりも、石座１２の後端側部分を筒状部材２２の内側に挿抜可能に嵌め合わせることができる程度に極僅かに大きい値に設定されている。また、筒状部材２２の外径ｄ５は、筒状部材２２の内径ｄ４に筒状部材２２の周壁部の厚さｄ３の２倍の値を加えた値となる。例えば、筒状部材２２の内径ｄ４が３．８ｍｍであり、筒状部材２２の周壁部の厚さｄ３が０．６ｍｍである場合、筒状部材２２の外径ｄ５は５ｍｍとなる。
【００３１】
また、図１２において筒状部材２２の右側の周壁部には留め穴２４が形成されている。留め穴２４は、石座１２が筒状部材２２の内側に挿入された際に、第１の装飾片１１のチェーン接続部１４の基部１４Ｂを通すことにより石座１２を筒状部材２２の内側から外れないようにするための穴である。留め穴２４は、筒状部材２２の周壁部を貫通しており、筒状部材２２の周方向に所定の長さ伸長している。また、留め穴２４の上端部２４Ａの位置は、第１の装飾片１１と第２の装飾片２１との連結が完了した状態（図３に示す状態）における第１の装飾片１１のチェーン接続部１４の基部１４Ｂの位置と一致するように設定されている。
【００３２】
また、図１０において筒状部材２２の右側の周壁部には切り欠き２５が形成されている。具体的には、切り欠き２５は、図１１に示すように、筒状部材２２の周壁部において筒状部材２２の前端側の端面から留め穴２４の下端部２４Ｂに至る部分に形成されている。切り欠き２５は、第１の装飾片１１のチェーン接続部１４の基部１４Ｂを留め穴２４内に対して挿抜するための通路として機能する。
【００３３】
また、図１０において筒状部材２２の左上側部分にはチェーン接続部２３が設けられている。チェーン接続部２３は、筒状部材２２の外周面の左上側部分から筒状部材２２の径方向外側へ突出している。チェーン接続部２３は具体的には環であり、第１の装飾片１１のチェーン接続部１４の環１４Ａと同じ形状を有している。チェーン接続部２３は筒状部材２２の外周面に直接固定されている。
【００３４】
（係止機構）
また、装飾体２は、筒状部材２２の内側に挿入された石座１２を筒状部材２２に係止することにより石座１２の筒状部材２２に対する移動を規制する係止機構３１を備えている。係止機構３１は、第１の装飾片１１のチェーン接続部１４の基部１４Ｂと筒状部材２２の切り欠き２５とが互いに対応しない位置に石座１２が止まるように石座１２を係止する機能、および第１の装飾片１１のチェーン接続部１４の基部１４Ｂと筒状部材２２の切り欠き２５とが互いに対応する位置に石座１２が止まるように石座１２を係止する機能を有している。
【００３５】
係止機構３１は、図５に示すように、第１の装飾片１１の石座１２内に形成された収容穴３２、凸状係止部３３、ばね３４および栓３５、並びに第２の装飾片２１の筒状部材２２に形成された２つの凹状係止部（第１の凹状係止部３６および第２の凹状係止部３７）を備えている。
【００３６】
図８または図９に示すように、収容穴３２は、石座１２の後端側部分に形成され、石座１２の軸線と直交する方向に伸長しており、石座１２を貫通している。また、本実施形態の収容穴３２は、石座１２を正面から見た場合に、石座１２の中央を基準として、チェーン接続部１４が設けられている部分の反対側に形成されている。具体的には、収容穴３２は、図８において石座１２の下側部分に形成されている。
【００３７】
凸状係止部３３は例えば金属または樹脂製の球体である。ばね３４は例えばつる巻きばねである。栓３５は金属または樹脂により形成されている。凸状係止部３３およびばね３４は収容穴３２内に収容されている。
【００３８】
図８において、収容穴３２の直径は、その一端部（下側端部）を除き、凸状係止部３３およびばね３４のいずれの直径よりも大きい値に設定されている。一方、収容穴３２の一端部の直径は、凸状係止部３３の直径よりも僅かに小さい値に設定されている。装飾体２の製造時に、収容穴３２の他端部（右側端部）から、収容穴３２内へ凸状係止部３３およびばね３４が順次挿入され、その後、収容穴３２の他端部に栓３５が挿入され、固定される。収容穴３２の他端部に栓３５が固定された状態では、ばね３４は栓３５と凸状係止部３３との間で弾性変形して縮小し、凸状係止部３３を収容穴３２の一端部に向けて押している。収容穴３２の一端部の直径は凸状係止部３３の直径よりも小さいので凸状係止部３３は収容穴３２の一端部から収容穴３２の外へ脱落することはない。しかしながら、収容穴３２の一端部の直径と凸状係止部３３の直径との差は僅かなので、凸状係止部３３の一部が収容穴３２の一端部から外へ突出している。
【００３９】
凸状係止部３３において収容穴３２の一端部から外へ突出した部分に、この突出方向に対して逆向きの外力が加わると、ばね３４が弾性変形してさらに縮小し、凸状係止部３３が収容穴３２内に入り込み、凸状係止部３３の全体が収容穴３２内に埋没した状態となる。一方、当該外力が加わらなくなると、ばね３４の付勢力により凸状係止部３３の一部が再び収容穴３２の一端部から収容穴３２の外へ突出する。
【００４０】
また、図１２または図１３に示すように、第１の凹状係止部３６および第２の凹状係止部３７は筒状部材２２の周壁部の内周面にそれぞれ形成されている。第１の凹状係止部３６は、筒状部材２２の周壁部の内周面において、第１の装飾片１１のチェーン接続部１４の基部１４Ｂが留め穴２４の上端部２４Ａに位置しているときに収容穴３２の一端部と対向する位置に形成されている。本実施形態では、第１の凹状係止部３６は、筒状部材２２の周壁部の内周面における左下側部分に形成されている。また、第２の凹状係止部３７は、筒状部材２２の周壁部の内周面において、第１の装飾片１１のチェーン接続部１４の基部１４Ｂが留め穴２４の下端部２４Ｂに位置しているときに収容穴３２の一端部と対向する位置に形成されている。本実施形態では、第２の凹状係止部３７は、筒状部材２２の周壁部の内周面における左上側部分に形成されている。第１の凹状係止部３６および第２の凹状係止部３７はそれぞれ、凸状係止部３３において収容穴３２の一端部から突出した部分が嵌合するように丸く窪んだ形状を有している。
【００４１】
（装飾片の連結・分離）
図１４は、ネックレス１において、第１の装飾片１１と第２の装飾片２１とを連結させる方法を示している。
【００４２】
ネックレス１を首に掛ける際には、第１の装飾片１１と第２の装飾片２１とを連結させる。これにより、チェーン３の両端同士が連結される。第１の装飾片１１と第２の装飾片２１とを連結させる方法は次の通りである。
【００４３】
まず、利用者は、図１４（１）に示すように、第１の装飾片１１の石座１２と第２の装飾片２１の筒状部材２２とを両者の軸線が一致するように前後に位置させる。次に、利用者は、石座１２に固定されたチェーン接続部１４の基部１４Ｂと筒状部材２２に形成された切り欠き２５とが互いに対応する位置となるように、石座１２または筒状部材２２の周方向の位置を調節する。次に、利用者は、チェーン接続部１４の基部１４Ｂを切り欠き２５に通しつつ、石座１２の後端側部分を筒状部材２２の内側に挿入する。
【００４４】
石座１２の後端側部分が筒状部材２２の内側へ挿入され、石座１２の鍔部１７の後端面が筒状部材２２の前端面に接触すると、図１４（２）に示すように、チェーン接続部１４の基部１４Ｂが切り欠き２５を通り抜け、筒状部材２２に形成された留め穴２４内に入る。このとき、図１４（３）および（４）に示すように、チェーン接続部１４の基部１４Ｂは、切り欠き２５と対応する位置、具体的には、留め穴２４の下端部２４Ｂに位置する。その結果、石座１２に形成された収容穴３２の一端部が、筒状部材２２に形成された第２の凹状係止部３７と対向する。したがって、凸状係止部３３の一部が第２の凹状係止部３７内に入り、両者が係合する。この係合により、石座１２が筒状部材２２に係止され、石座１２の筒状部材２２に対する移動が規制される。具体的には、筒状部材２２の内側に挿入された石座１２が筒状部材２２から滑り落ちることが防止される。もっとも、凸状係止部３３と第２の凹状係止部３７との係合による係止力は、石座１２がその自重により筒状部材２２から勝手に滑り落ちることを防止できる程度の弱い係止力である。利用者は石座１２に手で力を加えることにより、石座１２を筒状部材２２に対して容易に移動させることができる。
【００４５】
次に、利用者は、筒状部材２２の内側に挿入された石座１２を筒状部材２２に対して、所定方向（図１４（３）中の反時計回り方向）に回転させる。これにより、凸状係止部３３が第２の凹状係止部３７の縁に押されて収容穴３２内に没入し、チェーン接続部１４の基部１４Ｂが留め穴２４内を反時計回り方向に移動する。そして、チェーン接続部１４の基部１４Ｂは、切り欠き２５と対応しない位置、具体的には、留め穴２４の上端部２４Ａに到達する。その結果、チェーン接続部１４の基部１４Ｂが留め穴２４内において前後方向（筒状部材２２の軸方向）に略移動不能な状態となり、それゆえ、石座１２が筒状部材２２に対して前後方向に略移動不能な状態となる。したがって、石座１２が筒状部材２２の内側から外れなくなり、図３および図４に示すように、第１の装飾片１１と第２の装飾片２１とが互いに連結される。
【００４６】
チェーン接続部１４の基部１４Ｂが留め穴２４の上端部２４Ａに到達したとき、図５に示すように、石座１２に形成された収容穴３２の一端部が、筒状部材２２に形成された第１の凹状係止部３６と対向する。したがって、凸状係止部３３の一部が第１の凹状係止部３６内に入り、両者が係合する。この係合により、石座１２が筒状部材２２に係止され、石座１２の筒状部材２２に対する移動が規制される。具体的には、装飾体２に加わる振動等により、石座１２が筒状部材２２に対して上記所定方向とは逆の方向（時計回り方向）に勝手に回転することが防止される。もっとも、凸状係止部３３と第１の凹状係止部３６との係合による係止力は、装飾体に加わった振動等により石座１２が筒状部材２２に対して勝手に回転することを防止できる程度の弱い係止力である。利用者は石座１２に手で力を加えることにより、石座１２を筒状部材２２に対して時計回り方向に容易に回転させることができる。
【００４７】
ネックレス１を首から外す際には、第１の装飾片１１と第２の装飾片２１とを分離させる。これにより、チェーン３の両端が分離する。第１の装飾片１１と第２の装飾片２１とを分離させる方法は次の通りである。
【００４８】
まず、利用者は、筒状部材２２の内側にある石座１２を筒状部材２２に対して上記所定方向とは逆の方向（時計回り方向）に回転させる。これにより、凸状係止部３３が第１の凹状係止部３６の縁に押されて収容穴３２内に没入し、チェーン接続部１４の基部１４Ｂが留め穴２４内を時計回り方向に移動する。そして、チェーン接続部１４の基部１４Ｂは、切り欠き２５と対応する位置、具体的には、留め穴２４の下端部２４Ｂに到達する。その結果、チェーン接続部１４の基部１４Ｂが切り欠き２５を介して留め穴２４から出ることが可能になり、石座１２が筒状部材２２に対して前後方向に移動できるようになる。次に、利用者は、石座１２を筒状部材２２から外し、第１の装飾片１１と第２の装飾片２１とを分離させる。
【００４９】
（主な作用効果）
本発明の実施形態のネックレス１は、第１の装飾片１１と第２の装飾片２１とを連結、分離する構造として、円柱状の石座１２を筒状部材２２の内側に前後方向（石座１２または筒状部材２２の軸方向）に挿抜する構造を有している。これにより、装飾体２に止め具としての機能を持たせつつ、石座１２の径寸法を小さくすることができる。例えば、図３に示すように、装飾体２のデザインとして、径寸法がおよそ２〜３ｍｍの小さい宝石１３を、この宝石１３よりも僅かに大きい径寸法を有する石座１２の正面中央に留めるといったデザインを採用した場合、装飾体２の大きさが非常に小さくなるが、本発明の本実施形態によれば、このようなデザインを採用した装飾体２に止め具としての機能を持たせることができる。
【００５０】
また、本発明の実施形態のネックレス１では、石座１２を筒状部材２２に対して回転させることにより第１の装飾片１１と第２の装飾片２１とを連結させ、または分離させることができる。これにより、装飾体２を非常に小さくした場合でも、利用者は第１の装飾片１１と第２の装飾片２１とを連結、分離させる操作を容易に行うことができる。
【００５１】
また、本発明の実施形態のネックレス１は、第１の装飾片１１と第２の装飾片２１とを連結する構造にチェーン接続部１４の基部１４Ｂを利用している。したがって、第１の装飾片１１と第２の装飾片２１とを連結する構造を形成するために、石座１２に突起等を別途、追加形成する必要がなく、それゆえ、突起等の追加形成のために装飾体２のデザインが崩れることがない。また、装飾体２を正面から見た場合、第１の装飾片１１と第２の装飾片２１とが連結した状態でチェーン接続部１４の基部１４Ｂが筒状部材２２の周壁部に形成された留め穴２４内に隠れる。これにより、装飾体２のデザイン性を高めることができる。例えば、図３に示すように、装飾体２のデザインとして、単一の宝石１３を、この宝石１３よりも僅かに大きい径寸法を有する円柱状の石座１２の正面中央に留め、当該単一の宝石１３のみを目立たせるデザインを採用した場合、そのようなデザインを崩すことなく、装飾体２に止め具としての機能を持たせることができる。
【００５２】
また、本発明の実施形態のネックレス１は、筒状部材２２の内側に挿入された石座１２の筒状部材２２に対する移動を規制する係止機構３１を備えている。そして、係止機構３１は、チェーン接続部１４の基部１４Ｂと切り欠き２５とが互いに対応しない位置（留め穴２４の上端部２４Ａ）に石座１２が止まるように石座１２を係止する。これにより、装飾体２に加わる振動等によって石座１２が筒状部材２２に対して勝手に回転することを防止することができる。したがって、第１の装飾片１１と第２の装飾片２１との連結状態を維持することができ、ネックレス１が首から勝手に外れてしまうことを防止することができる。
【００５３】
さらに、係止機構３１は、チェーン接続部１４の基部１４Ｂと切り欠き２５とが互いに対応する位置（留め穴２４の下端部２４Ｂ）に石座１２が止まるように石座１２を係止する。これにより、第１の装飾片１１と第２の装飾片２１とを連結する際に、利用者がチェーン接続部１４の基部１４Ｂを切り欠き２５に通しつつ、石座１２の後端側部分を筒状部材２２の内側に挿入した段階で、石座１２を筒状部材２２に仮止めすることができる。これにより、第１の装飾片１１と第２の装飾片２１とを連結させる操作の途中で石座１２が筒状部材２２から脱落し難くなり、第１の装飾片１１と第２の装飾片２１との連結操作が容易になる。
【００５４】
また、本発明の実施形態のネックレス１において、係止機構３１は、石座１２の外周面から出没可能な凸状係止部３３と、筒状部材２２の内周面に形成された２つの凹状係止部３６、３７とを備えている。この構成によれば、装飾体２の大きさが非常に小さい場合でも、石座１２の筒状部材２２に対する移動を規制する係止機構３１を容易に形成することができる。
【００５５】
（他の実施形態）
なお、上述した実施形態のネックレス１では、石座１２の鍔部１７の直径ｄ２が筒状部材２２の外径ｄ５よりも小さいが、図１５（１）に示すネックレスの装飾体４１のように、第１の装飾片４２の石座４３における鍔部４４の直径を、第２の装飾片４５の筒状部材４６の外径よりも大きくしてもよい。
【００５６】
また、上述した実施形態のネックレス１では、石座１２を筒状部材２２の内側へ筒状部材２２の前方から挿入する構造を有しているが、図１５（２）に示すネックレスの装飾体５１のように、第１の装飾片５２の石座５３を第２の装飾片５４の筒状部材５５の内側へ筒状部材５５の後方から挿入する構造としてもよい。
【００５７】
また、図１５（３）に示すネックレスの装飾体６１のように、第２の装飾片６４の筒状部材６５を、その後端側が閉塞された有蓋筒状に形成してもよい。また、図１５（３）に示すように、第１の装飾片６２の石座６３に鍔部を設けなくてもよい。
【００５８】
また、上述した実施形態においては、筒状部材２２の外周側の形状が円形であるが、図１５（４）に示すネックレスの装飾体７１のように、第２の装飾片７２の筒状部材７３の外周側の形状を円形以外の形状、例えば多角形としてもよい。
【００５９】
また、上述した実施形態のネックレス１では、筒状部材２２を図３中の右側から見た場合に、図４に示すように、留め穴２４および切り欠き２５が全体的に見てＬ字状の形状を有しているが、図１５（５）に示すネックレスの装飾体における第２の装飾片８１の筒状部材８２のように、留め穴８３および切り欠き８４を、全体的に見て緩やかな曲線を描くように形成してもよい。
【００６０】
また、係止機構３１の凸状係止部３３の形状は球状に限らず、半球状または帽子状でもよい。また、係止機構３１のばね３４はつる巻きばねに限らず、板ばね等でもよい。また、上述した実施形態では、石座１２に凸状係止部３３を設け、筒状部材２２に凹状係止部３６、３７を設けたが、石座１２に凹状係止部を設け、筒状部材２２に凸状係止部３３を設けてもよい。
【００６１】
また、留め穴２４の形状を工夫し、チェーン接続部１４の基部１４Ｂを留め穴２４の上端部２４Ａに係止するようにし、これにより石座１２の筒状部材２２に対する回転を規制してもよい。この場合には、本実施形態における凸状係止部３３および凹状係止部３６、３７等を有する係止機構３１を廃することができる。
【００６２】
また、上述した実施形態のネックレス１では、宝石１３を石座１２に留める方法として爪留めを選択したが、例えば彫り留めや覆輪留め等、他の石留め方法を選択することもできる。また、上述した実施形態のネックレス１では、第１の装飾片１１に単一の宝石１３を取り付けたが、第１の装飾片１１に複数の宝石を取り付けてもよい。また、上述した実施形態のネックレス１では、第１の装飾片１１に取り付ける装飾物として宝石１３を選択したが、装飾物は宝石以外でもよい。
【００６３】
また、上述した実施形態のネックレス１では、紐状部材としてチェーン３を選択したが、紐状部材は、紐、糸、コードまたはワイヤ等でもよく、あるいは、テグス等に多数の玉状のアクセサリ（例えば真珠）を通したものでもよい。また、上述した実施形態のネックレス１では、図２においてチェーン３の右端部に第１の装飾片１１を接続し、チェーン３の左端部に第２の装飾片２１を接続したが、第１の装飾片１１と第２の装飾片２１との位置が左右逆になるようにしてもよい。
【００６４】
また、本発明は、請求の範囲および明細書全体から読み取ることのできる発明の要旨または思想に反しない範囲で適宜変更可能であり、そのような変更を伴うネックレスもまた本発明の技術思想に含まれる。
【符号の説明】
【００６５】
１、４１、５１、６１、７１、８１  ネックレス
２  装飾体
３  チェーン（紐状部材）
１１、４２、５２、６２  第１の装飾片
１２、４３、５３、６３  石座（台座）
１３  宝石（装飾物）
１４  チェーン接続部（第１の紐状部材接続部）
１４Ａ  環
１４Ｂ  基部
１５  宝石挿入部
１６  爪
１７  鍔部
２１、４５、５４、６４、７２、８１  第２の装飾片
２２、４６、５５、６５、７３、８２  筒状部材
２３  チェーン接続部（第２の紐状部材接続部）
２４、８３  留め穴
２４Ａ  上端部
２４Ｂ  下端部
２５、８４  切り欠き
３１  係止機構
３２  収容穴
３３  凸状係止部
３４  ばね
３５  栓
３６  第１の凹状係止部
３７  第１の凹状係止部
【図１】
2019088459.tif 000003
【図２】
2019088459.tif 000004
【図３】
2019088459.tif 000005
【図４】
2019088459.tif 000006
【図５】
2019088459.tif 000007
【図６】
2019088459.tif 000008
【図７】
2019088459.tif 000009
【図８】
2019088459.tif 000010
【図９】
2019088459.tif 000011
【図１０】
2019088459.tif 000012
【図１１】
2019088459.tif 000013
【図１２】
2019088459.tif 000014
【図１３】
2019088459.tif 000015
【図１４】
2019088459.tif 000016
【図１５】
2019088459.tif 000017
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
第１の装飾片および第２の装飾片を有する装飾体と、一端側が前記第１の装飾片に接続され、他端側が前記第２の装飾片に接続された紐状部材とを備え、前記第１の装飾片と前記第２の装飾片とを互いに連結、分離させることにより利用者の首に対して掛け外しすることができるネックレスであって、
前記第１の装飾片は、
円柱状に形成された台座と、
前記台座の正面側部分に取り付けられた装飾物と、
前記台座の背面側部分の左右方向一側の外周面から径方向外側へ突出し、前記紐状部材の一端側が接続された第１の紐状部材接続部と、
前記台座の背面側部分の外周面から出没可能となるように前記台座に設けられた凸状係止部とを備え、
前記第２の装飾片は、
筒状に形成され、内側に前記台座の背面側部分が挿抜可能に挿入される筒状部材と、
前記筒状部材の左右方向他側の外周面から径方向外側へ突出し、前記紐状部材の他端側が接続された第２の紐状部材接続部と、
前記筒状部材の左右方向一側の周壁部に形成され、前記筒状部材の周方向に伸長し、前記第１の紐状部材接続部の基部を通すことにより前記台座を前記筒状部材の内側から外れないようにする留め穴と、
前記筒状部材の周壁部において前記筒状部材の正面側または背面側の端面から前記留め穴の一部に至る部分に形成され、前記第１の紐状部材接続部の基部を前記留め穴内に対して挿抜するための切り欠きと、
前記筒状部材の内周面に形成された第１の凹状係止部とを備え、
前記凸状係止部および前記第１の凹状係止部は、互いに係合することにより、前記筒状部材の内側に挿入された前記台座を、当該台座が前記第１の紐状部材接続部の基部と前記切り欠きとが互いに対応しない位置に止まるように、前記筒状部材に係止することを特徴とするネックレス。
【請求項２】
前記第２の装飾片は、前記筒状部材の内周面において、前記第１の凹状係止部と前記筒状部材の周方向において異なる位置に形成された第２の凹状係止部とを備え、
前記凸状係止部および前記第２の凹状係止部は、互いに係合することにより、前記筒状部材の内側に挿入された前記台座を、当該台座が前記第１の紐状部材接続部の基部と前記切り欠きとが互いに対応する位置に止まるように、前記筒状部材に係止することを特徴とする請求項１に記載のネックレス。
【請求項３】
前記第１の装飾片は、
前記台座の背面側部分に形成され、前記台座の軸線と直交する方向に伸長し、前記台座を貫通する収容穴と、
ばねと、
栓とを備え、
前記凸状係止部は球体であり、前記収容穴の一端部の直径は前記凸状係止部の直径よりも小さく、前記収容穴の一端部以外の部分の直径は前記凸状係止部の直径よりも大きく、前記収容穴内の一端側には前記凸状係止部が収容され、前記収容穴内において前記凸状係止部の他側には前記ばねが収容され、前記収容穴内の他端側には前記栓が挿入され、固定されていることを特徴とする請求項１または２に記載のネックレス。
【請求項４】
前記装飾物は宝石であり、前記宝石は前記台座の正面中央に留められていることを特徴とする請求項１ないし３のいずれかに記載のネックレス。
【手続補正２】
【補正対象書類名】明細書
【補正対象項目名】００１０
【補正方法】変更
【補正の内容】
【００１０】
上記課題を解決するために、本発明のネックレスは、第１の装飾片および第２の装飾片を有する装飾体と、一端側が第１の装飾片に接続され、他端側が第２の装飾片に接続された紐状部材とを備え、第１の装飾片と第２の装飾片とを互いに連結、分離させることにより利用者の首に対して掛け外しすることができるネックレスであって、第１の装飾片は、円柱状に形成された台座と、台座の正面側部分に取り付けられた装飾物と、台座の背面側部分の左右方向一側の外周面から径方向外側へ突出し、紐状部材の一端側が接続された第１の紐状部材接続部と、台座の背面側部分の外周面から出没可能となるように台座に設けられた凸状係止部とを備え、第２の装飾片は、筒状に形成され、内側に台座の背面側部分が挿抜可能に挿入される筒状部材と、筒状部材の左右方向他側の外周面から径方向外側へ突出し、紐状部材の他端側が接続された第２の紐状部材接続部と、筒状部材の左右方向一側の周壁部に形成され、筒状部材の周方向に伸長し、第１の紐状部材接続部の基部を通すことにより台座を筒状部材の内側から外れないようにする留め穴と、筒状部材の周壁部において筒状部材の正面側または背面側の端面から留め穴の一部に至る部分に形成され、第１の紐状部材接続部の基部を留め穴内に対して挿抜するための切り欠きと、筒状部材の内周面に形成された第１の凹状係止部とを備えている。
【手続補正３】
【補正対象書類名】明細書
【補正対象項目名】００１１
【補正方法】変更
【補正の内容】
【００１１】
さらに、上記本発明のネックレスにおいて、凸状係止部および第１の凹状係止部は、互いに係合することにより、筒状部材の内側に挿入された台座を、当該台座が第１の紐状部材接続部の基部と切り欠きとが互いに対応しない位置に止まるように、筒状部材に係止する。
【手続補正４】
【補正対象書類名】明細書
【補正対象項目名】００１２
【補正方法】変更
【補正の内容】
【００１２】
また、上記本発明のネックレスにおいて、第２の装飾片は、筒状部材の内周面において、第１の凹状係止部と筒状部材の周方向において異なる位置に形成された第２の凹状係止部とを備え、凸状係止部および第２の凹状係止部は、互いに係合することにより、筒状部材の内側に挿入された台座を、当該台座が第１の紐状部材接続部の基部と切り欠きとが互いに対応する位置に止まるように、筒状部材に係止することが好ましい。
【手続補正５】
【補正対象書類名】明細書
【補正対象項目名】００１３
【補正方法】変更
【補正の内容】
【００１３】
また、上記本発明のネックレスにおいて、第１の装飾片は、台座の背面側部分に形成され、台座の軸線と直交する方向に伸長し、台座を貫通する収容穴と、ばねと、栓とを備え、凸状係止部は球体であり、収容穴の一端部の直径は凸状係止部の直径よりも小さく、収容穴の一端部以外の部分の直径は凸状係止部の直径よりも大きく、収容穴内の一端側には凸状係止部が収容され、収容穴内において凸状係止部の他側にはばねが収容され、収容穴内の他端側には栓が挿入され、固定されていることが好ましい。
【手続補正６】
【補正対象書類名】明細書
【補正対象項目名】００３８
【補正方法】変更
【補正の内容】
【００３８】
図８において、収容穴３２の直径は、その一端部（左側端部）を除き、凸状係止部３３およびばね３４のいずれの直径よりも大きい値に設定されている。一方、収容穴３２の一端部の直径は、凸状係止部３３の直径よりも僅かに小さい値に設定されている。装飾体２の製造時に、収容穴３２の他端部（右側端部）から、収容穴３２内へ凸状係止部３３およびばね３４が順次挿入され、その後、収容穴３２の他端部に栓３５が挿入され、固定される。収容穴３２の他端部に栓３５が固定された状態では、ばね３４は栓３５と凸状係止部３３との間で弾性変形して縮小し、凸状係止部３３を収容穴３２の一端部に向けて押している。収容穴３２の一端部の直径は凸状係止部３３の直径よりも小さいので凸状係止部３３は収容穴３２の一端部から収容穴３２の外へ脱落することはない。しかしながら、収容穴３２の一端部の直径と凸状係止部３３の直径との差は僅かなので、凸状係止部３３の一部が収容穴３２の一端部から外へ突出している。
【手続補正７】
【補正対象書類名】明細書
【補正対象項目名】００６５
【補正方法】変更
【補正の内容】
【００６５】
１、４１、５１、６１、７１、８１  ネックレス
２  装飾体
３  チェーン（紐状部材）
１１、４２、５２、６２  第１の装飾片
１２、４３、５３、６３  石座（台座）
１３  宝石（装飾物）
１４  チェーン接続部（第１の紐状部材接続部）
１４Ａ  環
１４Ｂ  基部
１５  宝石挿入部
１６  爪
１７  鍔部
２１、４５、５４、６４、７２、８１  第２の装飾片
２２、４６、５５、６５、７３、８２  筒状部材
２３  チェーン接続部（第２の紐状部材接続部）
２４、８３  留め穴
２４Ａ  上端部
２４Ｂ  下端部
２５、８４  切り欠き
３１  係止機構
３２  収容穴
３３  凸状係止部
３４  ばね
３５  栓
３６  第１の凹状係止部
３７  第２の凹状係止部